(57)【特許請求の範囲】
【請求項１】
綴じ具の綴じ棒に綴じられる綴じ部材であって、
前記綴じ棒に遊嵌するために、本体の長手端縁に形成された綴じ孔と、
前記綴じ孔に連通する綴じ棒出入口とを備え、
前記綴じ棒出入口は、本体より外方向に向けて突き出た環状体で形成された一対の凸部と凸部とが対向し、通常綴じ棒の幅よりも狭い通路を構成するように、凸部と凸部とが最も接近する部位においても、綴じ棒の幅よりも狭い狭隘路が形成され、
前記一対の凸部を構成する環状体は、それぞれ本体より外方向に向けて突き出た環状体の各々にそれぞれ貫通孔が形成され、且つ、綴じ孔の最も外側部位に続いて形成され、一対の凸部と凸部との最も接近する部位からさらに外側に向けて、その間が徐々に広がっていくように形成され、凸部の最も外側の部位は、本体の外側縁より若干外側に向けて突き出るように構成され、前記綴じ棒が出入するときに、前記狭隘路が綴じ棒の幅と同等またはそれより若干広く開くように弾性を有する、綴じ部材。
【請求項２】
前記綴じ部材は、多穴式バインダー等の綴じ具の櫛状綴じ棒に、嵌挿して収納用ホルダーを綴じるものであり、前記本体は、弾力性を有するプラスチックで、平面略長方形薄板状に一体成形されてなる、請求項１に記載の綴じ部材。
【請求項３】
前記綴じ孔は、綴じ具の綴じ棒の幅より広い面積を有する貫通孔をもって構成され、平面略円弧状に形成されている、請求項１又は２に記載の綴じ部材。
【発明の詳細な説明】
【０００１】
【発明の属する技術分野】
この発明は、書類や名刺などを入れるポケットなどの収納用ホルダーを綴じる綴じ部材に関し、特に、たとえば、ファイルやバインダーにつづり込まれる収納用ホルダーの端縁に取着され、該収納用ホルダーを綴じる綴じ部材に関する。
【０００２】
【従来の技術】
例えば、特開２００１−３０６７１の書類などの収納用ホルダーのように、綴じ穴部にスリットや切欠きを入れることによって、ファイルやバインダーの綴じ棒を開閉することなく書類等の収納用ホルダーを着脱できるものがある。
【０００３】
【発明が解決しようとする課題】
ところが、従来の綴じ穴部にスリットや切欠きを入れた綴じ部材は、特定の限定された綴じ具にしか使用できないものや、あるいは、綴じ具より綴じ部材が不用意に外れてしまうものであった。
【０００４】
それゆえに、この発明の主たる目的は、綴じ具の綴じ棒を開くことなく、綴じ具に着脱をすることができ、且つ不用意に綴じ具より外れることのない綴じ部材を提供することにある。
【０００５】
【課題を解決するための手段】
この発明の請求項１にかかる綴じ部材は、綴じ具の綴じ棒に綴じられる綴じ部材であって、前記綴じ棒に遊嵌するために、本体の長手端縁に形成された綴じ孔と、前記綴じ孔に連通する綴じ棒出入口とを備え、前記綴じ棒出入口は、本体より外方向に向けて突き出た環状体で形成された一対の凸部と凸部とが対向し、通常綴じ棒の幅よりも狭い通路を構成するように、凸部と凸部とが最も接近する部位においても、綴じ棒の幅よりも狭い狭隘路が形成され、前記一対の凸部を構成する環状体は、それぞれ本体より外方向に向けて突き出た環状体の各々にそれぞれ貫通孔が形成され、且つ、綴じ孔の最も外側部位に続いて形成され、一対の凸部と凸部との最も接近する部位からさらに外側に向けて、その間が徐々に広がっていくように形成され、凸部の最も外側の部位は、本体の外側縁より若干外側に向けて突き出るように構成され、前記綴じ棒が出入するときに、前記狭隘路が綴じ棒の幅と同等またはそれより若干広く開くように弾性を有する、綴じ部材である。この発明の請求項２にかかる綴じ部材は、前記綴じ部材は、多穴式バインダー等の綴じ具の櫛状綴じ棒に、嵌挿して収納用ホルダーを綴じるものであり、前記本体は、弾力性を有するプラスチックで、平面略長方形薄板状に一体成形されてなる、請求項１に記載の綴じ部材である。この発明の請求項３にかかる綴じ部材は、前記綴じ孔は、綴じ具の綴じ棒の幅より広い面積を有する貫通孔をもって構成され、平面略円弧状に形成されている、請求項１又は２に記載の綴じ部材である。
【０００６】
この発明の上述の目的，その他の目的，特徴および利点は、図面を参照して行う以下の発明の実施の形態の詳細な説明から一層明らかとなろう。
【０００７】
【発明の実施の形態】
図１は、この発明の一実施の形態である綴じ部材の斜視図解図であり、図２は、図１図示の綴じ部材を綴じる綴じ具の一例を示す斜視図解図である。
図３は、綴じ部材の実際の使用方法を示す斜視図解図である。
この綴じ部材１０は、多穴式バインダー等の綴じ具５０の櫛状綴じ棒５２に、嵌挿して収納用ホルダーを綴じるものであり、ポリプロピレンなどの弾力性を有するプラスチックで一体成形されてなり、平面略長方形薄板状の本体１２の長手一端縁に前記綴じ棒５２に遊嵌する綴じ孔１４が穿設され、前記綴じ孔１４に連通する綴じ棒出入口１６を備える。
【０００８】
前記綴じ孔１４は、綴じ具５０の綴じ棒５２の幅（綴じ棒５２が円柱状のときは直径）より広い面積を有する貫通孔をもって構成され、平面略円弧状に形成されている。
【０００９】
綴じ棒出入口１６は、本体１２より外方向に向けて突き出た一対の凸部１８ａと凸部１８ｂとが対向して狭隘路２０が形成されている。
狭隘路２０は、通常綴じ棒５２の幅よりも狭い通路を構成するように、凸部１８ａと凸部１８ｂとが最も接近する部位においても、綴じ棒５２の幅（直径）よりも狭くなるように形成されている。
【００１０】
前記凸部１８ａおよび凸部１８ｂは、それぞれ本体１２より外方向に向けて突き出た環状体で形成され、凸部１８ａおよび凸部１８ｂの環状体の各々にはそれぞれ貫通孔が形成されている。
そして、前記凸部１８ａと凸部１８ｂとを構成する環状体が対向して狭隘路２０を形成している。該狭隘路２０を綴じ棒５２が出入するとき、すなわち綴じ部材１０を綴じ棒５２より脱嵌または嵌入するときに、該狭隘路２０が綴じ棒５２の幅と同等またはそれより若干広く開くように、前記凸部１８ａおよび凸部１８ｂを構成する環状体が弾性を有するように形成されている。
この実施の形態においては、凸部１８ａおよび凸部１８ｂを構成する環状体は、綴じ孔１４の最も外側部位に続いて形成され、一対の凸部１８ａおよび凸部１８ｂの最も接近する部位からさらに外側に向けて、その間が徐々に広がっていくように形成され、凸部１８ａおよび凸部１８ｂの最も外側の部位は、本体１２の外側縁より若干外側に向けて突き出るように構成されている。
【００１１】
綴じ具５０の綴じ棒５２に出し入れするときに綴じ部材１０を引張ると、この凸部１８ａともう一方の対向する凸部１８ｂとが最も接近する位置すなわち狭隘路２０の近傍において、一定以上の力が凸部１８ａおよび凸部１８ｂにかかり、凸部１８ａおよび１８ｂは若干その弾性により変形する。
したがって、綴じ部材１０を綴じ具５０の綴じ棒５２より取り外すことができたり、逆に取り付けることができる。
しかしながら、一定以上の力が凸部１８ａおよび１８ｂにかからないと、綴じ部材１０は、綴じ具５０の綴じ棒５２より抜け出ることはない。
この綴じ部材１０の本体１２に、たとえば、ＣＤ，ＤＶＤなどの収納ホルダーを取り付けるために、本体１２の長手方向に連続して取付溝３０が形成されている。
取付溝３０は、本体１２の綴じ孔１４が形成された端縁とは反対側の端縁に形成され、取付溝３０内に収納ホルダー６０の端縁を溶着等の固着方法で取り付けられる。
【００１２】
前記実施の形態においては、凸部１８ａおよび凸部１８ｂが無端環状体によって構成されているが、この綴じ具５０は、前記した構成に限らず、たとえば、図６に示すように、綴じ孔１４から連続して外方向に向けて突き出た左右一対の凸部１１８ａ、凸部１１８ｂがその先端において繋がらず、フィンガー状突起が本体１２より綴じ孔１４を構成するように突き出て向き合い、略Ｃ字状の環状体に形成された構成でもよい。また、綴じ孔１４の数は４穴に限らず、２穴、３穴、多穴でもよい。したがって、各穴には、それに対応した綴じ棒出入口１６及び凸部１８ａ、凸部１８ｂが形成される。
【００１３】
綴じ部材１０は、繰返し使用に耐えられるように、比較的硬質な合成樹脂製シートまたは合成樹脂の成型により製作されるが、綴じ具５０の綴じ棒５２の太さに関わらず、綴じ部材１０を脱着できるよう、綴じ棒出入口１６の幅を狭くし、且つその綴じ棒出入口１６を構成するものに弾性をもたせるようにする構成については、この発明に含まれるものである。
【００１４】
【発明の効果】
この発明によれば、この綴じ部材は、綴じ具の綴じ棒に綴じられる綴じ部材であって、前記綴じ棒に遊嵌する綴じ孔と、前記綴じ孔に連通する綴じ棒出入口とを備え、前記綴じ棒出入口は、綴じ棒の幅より狭い狭隘路が形成され、且つ前記綴じ棒が出入するときに、前記狭隘路が綴じ棒の幅と同等またはそれより若干広く開くように弾性を有するので、綴じ具の綴じ棒を開くことなく、綴じ具より着脱することができ、且つ不用意に綴じ具より外れることがない。
【図面の簡単な説明】
【図１】この発明の一実施の形態である綴じ部材の斜視図解図である。
【図２】図１図示の綴じ部材を綴じる綴じ具の一例を示す斜視図解図である。
【図３】綴じ部材の実際の使用方法を示す斜視図解図である。
【図４】綴じ具に綴じ部材を差込む方法を示す斜視図解図である。
【図５】綴じ具に綴じ部材を取着した状態を示す斜視図解図である。
【図６】別の実施の形態である綴じ部材の斜視図解図である。
【符号の説明】
１０  綴じ部材
１２  本体
１４  綴じ孔
１６  綴じ棒出入口
１８ａ，１８ｂ  凸部
２０  狭隘路
３０  取付溝
５０  綴じ具
５２  綴じ棒
６０  収納ホルダー
１１８ａ，１１８ｂ  凸部
【図１】
0004201500.tif 000002
【図２】
0004201500.tif 000003
【図３】
0004201500.tif 000004
【図４】
0004201500.tif 000005
【図５】
0004201500.tif 000006
【図６】
0004201500.tif 000007